(57)【要約】  電源が、切換部を介して蓄電装置および負荷と接続されたシステムにおいて、累積電力量が平準化目標値を上回ると、電源と蓄電装置及び負荷との接続を切断し、単位時間が経過すると、電源に蓄電装置と負荷とを接続させるように切換部を制御する際に、目標決定部は、平準化周期の終了時に、蓄電装置の蓄電残量がその平準化周期内で遷移した実績の内の、遷移を代表する値に基づき、次の平準化周期で用いる平準化目標値として、現在の平準化目標値に対し増加、減少、または維持のいずれを行わせた値を設定するかを決定する電力平準化制御装置により、蓄電装置の容量を有効に活用でき、需要予測が不要で簡易な処理で電力平準化を行うことの可能な電力平準化制御装置、電力平準化蓄電装置、電力平準化制御方法、及び平準化プログラムが提供される。
2012127595.tif 000002
【特許請求の範囲】
【請求項１】
電源が、蓄電装置および負荷と接続されたシステムにおいて、前記電源から供給する電力を平準化する電力平準化制御装置であって、
前記蓄電装置の蓄電残量を監視時間毎に取得する蓄電残量取得部と、
前記蓄電残量取得部が取得した前記蓄電残量を記憶する蓄電記憶部と、
前記負荷の電力需要の高い期間と低い期間とが交互に発生すると予測される周期の終了時に、前記蓄電記憶部が記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する目標決定部と、
前記目標決定部により決定された次の前記周期で用いる電力平準化のための平準化目標値を基に、前記電源及び前記蓄電装置から前記負荷へ供給する電力を制御する制御部と
を有することを特徴とする電力平準化制御装置。
【請求項２】
前記目標決定部は、
前記周期内に記憶された前記蓄電残量の最大値、最小値、最後の値、または最初の値と最後の値の差分のうち少なくとも一つに基づき、次の周期で用いる平準化目標値として、現在の前記平準化目標値に対し、増加、減少または維持のいずれを行わせた値を設定するかを決定することを特徴とする請求項１に記載の電力平準化制御方法。
【請求項３】
前記目標決定部は、
前記周期において、前記最大値が予め決められた第１の閾値を下回る、前記最小値が予め決められた第２の閾値を下回る、前記最後の値が予め決められた第３の閾値を下回る、または前記最初の値と最後の値の差分が予め決められた第４の閾値を下回る、のいずれか少なくとも一つを満たす場合に、次の周期で用いる平準化目標値を現在の前記平準化目標値に対し増加させることを特徴とする請求項２に記載の電力平準化制御装置。
【請求項４】
前記目標決定部は、
前記周期において、前記最大値が前記第１の閾値を超える、前記最小値が前記第２の閾値を超える、前記最後の値が前記第３の閾値を超える、または前記最初の値と最後の値との差分が前記第４の閾値を超える、のいずれか少なくとも一つを満たす場合に、次の周期で用いる平準化目標値を現在の前記平準化目標値に対し減少させることを特徴とする請求項２に記載の電力平準化制御装置。
【請求項５】
前記目標決定部は、
前記周期において、前記最大値が前記第１の閾値を下回り、または前記最小値が前記第２の閾値を下回り、または前記最初の値と最後の値との差分が前記第４の閾値を下回る場合に、次の周期で用いる平準化目標値を現在の前記平準化目標値に対し減少させることを特徴とする請求項２に記載の電力平準化制御装置。
【請求項６】
前記目標決定部は、
前記周期において、前記最大値が前記第１の閾値を超え、かつ前記最小値が前記第２の閾値を超え、かつ前記最初の値と最後の値との差分が正の値となった場合に、次の周期で用いる平準化目標値を現在の前記平準化目標値に対し減少させることを特徴とする請求項２に記載の電力平準化制御装置。
【請求項７】
前記目標決定部は、
前記周期において、前記最後の値が前記第３の閾値を下回り、かつ前記最初の値と最後の値との差分が前記第４の閾値を下回る場合、または、前記最小値が予め決められた第２の閾値を下回る場合に、次の周期で用いる平準化目標値を現在の前記平準化目標値に対し増加させることを特徴とする請求項２に記載の電力平準化制御装置。
【請求項８】
電源と切換可能に接続されるとともに負荷と接続され、前記電源との接続状態を制御することにより充電および放電を行い、前記電源が供給する電力を平準化する蓄電装置であって、
前記電源との間に設けられ、前記接続状態を切り換えるスイッチと、
前記スイッチにより前記電源と接続されることにより充電され、前記電源との接続が切断されると放電することにより前記負荷に電力を供給する蓄電機と、
前記請求項１から請求項７のいずれか一項に記載の平準化制御装置と、
を有することを特徴とする電力平準化蓄電装置。
【請求項９】
電源が、蓄電装置および負荷と接続されたシステムにおいて、前記電源から供給する電力を平準化する電力平準化制御方法であって、
前記蓄電装置の蓄電残量を監視時間毎に取得する蓄電取得工程と、
前記蓄電取得工程において取得した前記蓄電残量を記憶する蓄電記憶工程と、
前記負荷の電力需要の高い期間と低い期間とが交互に発生すると予測される周期の終了時に、前記蓄電記憶工程において記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する目標決定工程と、
前記目標決定工程で決定された次の前記周期で用いる電力平準化のための平準化目標値を基に、前記電源及び前記蓄電装置から前記負荷へ供給する電力を制御する制御工程と
を有することを特徴とする電力平準化制御方法。
【請求項１０】
電源が、蓄電装置および負荷と接続されたシステムにおいて、前記電源から供給する電力を平準化する電力平準化制御をコンピュータに行わせるプログラムであって、
前記電源からの受電電力を監視時間毎に予め決められた単位時間まで累積して取得し、
前記蓄電装置の蓄電残量を監視時間毎に取得し、
前記蓄電取得工程において取得した前記蓄電残量を記憶し、
前記負荷の電力需要の高い期間と低い期間とが交互に発生すると予測される周期の終了時に、記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定しと、
決定された次の前記周期で用いる電力平準化のための平準化目標値を基に、前記電源及び前記蓄電装置から前記負荷へ供給する電力を制御する処理をコンピュータに行わせることを特徴とする電力平準化プログラム。
【発明の詳細な説明】
【技術分野】
【０００１】
本発明は、電力平準化制御装置、電力平準化蓄電装置、電力平準化制御方法、及び平準化プログラムに関する。
【背景技術】
【０００２】
需要電力の傾向は、さまざまな要因で変わる。変化が大きい要因としては、曜日、季節、オフィスの人員、設備配置の変化などがある。利用者の毎日の行動によっても、小さいながらも需用電力は変動する。このため、通常電力設備は、電力需要が最大のときに電力が不足しないように、需要ピークに合わせて設計される。【０００３】
しかし、環境問題やコストの問題などに鑑みて、蓄電装置を利用して需要の大きい時に蓄電電力で需要を賄い、需要の小さい時に蓄電装置に電力を蓄えるようにして平準化を行い、電力需要ピークを下げるようにすることが試みられている。このように需要ピークを減らし、需要の変動を平準化できれば、例えば出力変動を極力行わない運用形態である原子力発電による需要負担率を上げることができ、二酸化炭素（ＣＯ２）排出量低減、コスト削減も可能となる。【０００４】
蓄電装置を用いた平準化制御においては、出力目標値を設け、電源の出力が出力目標値よりも大きいときには余剰分を蓄電装置に充電し、出力が出力目標値よりも小さいときには、不足分を蓄電装置から放電するようにすることがある。このとき、電源の出力と蓄電装置の蓄電量とを検出し、予め設定された期間の出力の平均値を蓄電量に応じて設定された目標値で補正して、出力目標値を設定している例がある。また、使用電力の情報を元にデマンド時限開始から現在までの使用電力の平均値を算出し、平均値が第１の所定値を越えると蓄電装置を放電し、第２の所定値を下回ると充電する例もある。外気温度、負荷電力などを検出して電力需要予測値を算出し、予測値と設定値と比較することによって放電モードを制御する例や、過去の蓄電装置の蓄電残量のパターンを手動で設定し、設定したパターンに基づき出力目標値を設定する例もある。さらに、予測した代表気温のデータに対応する、予め記憶された負荷電力量の時間変動データに基づき電力制御する例もある。
【先行技術文献】
【特許文献】
【０００５】
【特許文献１】特開２００２−１７０４４号公報
【特許文献２】特開２００３−２９９２４７号公報
【特許文献３】特開２００３−２４４８４０号公報
【特許文献４】特開平８−２８７９５８号公報
【特許文献５】特開２００１−８３８５号公報
【特許文献６】特開２００５−２１８１９３号公報
【発明の概要】
【発明が解決しようとする課題】
【０００６】
上記のような電力平準化制御においては、目標値の定め方が重要となる。しかしながら、例えば、出力電力の目標値を一定期間の供給電力の平均値に基づく値と比べる方式など、平均値を用いる方式は、季節や時間の変動に応じた変動が繰り返し起こるという電力需要の特徴を十分に生かした制御とはいえない。【０００７】
一方、目標値や、目標値を設定するためのパターンを手動で設定しなければならない場合には、手間がかかる。需要予測を行う例では、予測を行うには何某かの予測アルゴリズムが必要であるのに加え、予測は必ずしも信頼できるものとは限らない。高精度の需要予測アルゴリズムの実装は、大きな処理量を要するとともに、需要予測に対する最適な目標値を用いて制御を行う為、需要予測の精度に平準化性能が大きく依存する。さらに、最適な目標値を探索する為には、バッテリーや充放電回路の損失、充電特性等、実機特性の正確なモデル化が必要である。しかしながら、このようなモデル化のためには、蓄電装置等の機種毎に、特性の取得とシミュレータ内部の実機モデルの変更等が必要であり、調整工数が膨大となるという問題がある。【０００８】
そこで本発明は、需要予測は用いずに、電力需要の変化の周期的な特性を考慮して蓄電残量に基づき電力平準化を行なうことができる電力平準化装置、蓄電装置、平準化プログラムを提供することを目的とする。
【課題を解決するための手段】
【０００９】
上記課題を解決するため、ひとつの態様である電力平準化装置は、電源が、蓄電装置および負荷と接続されたシステムにおいて、前記電源から供給する電力を平準化する。蓄電残量取得部は、前記蓄電装置の蓄電残量を監視時間毎に取得する。蓄電記憶部は、前記蓄電残量取得部が取得した前記蓄電残量を記憶する。目標決定部は、前記負荷の電力需要の高い期間と低い期間とが交互に発生すると予測される周期の終了時に、前記蓄電記憶部が記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する。制御部は、前記目標決定部により決定された次の前記周期で用いる電力平準化のための平準化目標値を基に、前記電源及び前記蓄電装置から前記負荷へ供給する電力を制御する。
【発明の効果】
【００１０】
本発明によれば、蓄電装置の容量を有効に活用でき、需要予測が不要で簡易な処理で電力平準化を行うことの可能な電力平準化制御装置、電力平準化蓄電装置、電力平準化制御方法、及び平準化プログラムが提供される。
【図面の簡単な説明】
【００１１】
【図１】第１の実施の形態による電力平準化システムを示す図である。
【図２】第１の実施の形態による電力平準化制御を概念的に示す図である。
【図３】第１の実施の形態による電力平準化制御の一例を示す図である。
【図４】第１の実施の形態による平準化周期における電力平準化制御の一例を説明する図である。
【図５】第１の実施の形態による電力平準化制御において蓄電残量許容下限の定義を説明する図である。
【図６】第１の実施の形態による電力平準化制御において蓄電残量使用下限の定義を説明する図である。
【図７】第１の実施の形態による電力平準化制御において蓄電残量使用下限を定めた場合における蓄電残量の過不足判定の一例を示す図である。
【図８】第１の実施の形態による電力平準化制御において蓄電残量使用上限の定義を説明する図である。
【図９】第１の実施の形態による電力平準化システムの動作を示すフローチャートである。
【図１０】第１の実施の形態による電力平準化システムの動作を示すフローチャートである。
【図１１】第１の実施の形態による電力平準化システムの動作を示すフローチャートである。
【図１２】第１の実施の形態による電力平準化制御の結果の一例を示す図である。
【図１３】第１の実施の形態による電力平準化制御の結果の一例を示す図である。
【図１４】第１の実施の形態による電力平準化制御の結果の一例を示す図である。
【図１５】第１の実施の形態による電力平準化制御の結果の一例を示す図である。
【図１６】第１の実施の形態による電力平準化制御の結果の一例を示す図である。
【図１７】第１の実施の形態の変形例１による平準化目標値決定方法を示すフローチャートであり、（ａ）は、増加条件として１つの条件を採用した例、（ｂ）は２つの条件を採用した例、（ｃ）は３つの条件を採用した例、（ｄ）は４つの条件を採用した例である。
【図１８】第１の実施の形態の変形例１による平準化目標値決定方法を示すフローチャートであり、（ａ）は、減少条件として１つの条件を採用した例、（ｂ）は２つの条件を採用した例、（ｃ）は３つの条件を採用した例、（ｄ）は４つの条件を採用した例である。
【図１９】第１の実施の形態の変形例２による平準化目標値決定方法を示すフローチャートである。
【図２０】第２の実施の形態による電力平準化システムを示す図である。
【図２１】第２の実施の形態による電力平準化制御において放電の有無の影響を説明する図である。
【図２２】第２の実施の形態による電力平準化制御において変動負荷の稼動状況の影響を説明する図であり、（ａ）は、第１回目の平準化周期に関して示し、（ｂ）は第２回目の平準化周期に関して示す。
【図２３】第２の実施の形態による電力平準化制御において変動負荷の稼動状況の影響を説明する図であり、（ａ）は、平準化目標値を減少させた場合を示し、（ｂ）は、平準化目標値を維持した場合を示す。
【図２４】第２の実施の形態による電力平準化システムの動作を示すフローチャートである。
【図２５】第２の実施の形態による電力平準化システムの動作を示すフローチャートである。
【図２６】第２の実施の形態による電力平準化システムの動作を示すフローチャートである。
【図２７】第２の実施の形態による電力平準化システムの動作を示すフローチャートである。
【図２８】標準的なコンピュータのハードウエア構成の一例を示すブロック図である。
【発明を実施するための形態】
【００１２】
（第１の実施の形態）
以下、実施の形態を図面に基づいて説明する。まず、図１から図３を参照しながら、第１の実施の形態による電力平準化システム１の構成および電力平準化制御の概要について説明する。図１は、第１の実施の形態による電力平準化システム１を示す図である。電力平準化システム１は、電源３に、蓄電装置７および変動負荷１３がスイッチ５を介して接続されるとともに、スイッチ５の動作を制御するための平準化制御部２０を備えている。
【００１３】
電源３は、商用電源である。スイッチ５は、電源３と蓄電装置７および変動負荷１３との間に開閉可能に接続され、平準化制御部２０に制御されて接続を開閉することにより、電源３と、蓄電装置７および変動負荷１３との間の接続を切り換える。蓄電装置７は、スイッチ５と変動負荷１３とに接続され、受電電力計測部９、蓄電機１１、および蓄電残量計測部１２を有している。受電電力計測部９は、電源３からの受電電力を計測し、平準化制御部２０に出力する。蓄電機１１は、スイッチ５の開閉に応じて、電源３から受電する電力の一部を充電しつつ、または放電することにより変動負荷１３に電力を供給する。蓄電残量計測部１２は、蓄電機１１の蓄電残量を計測し、平準化制御部２０に出力する。変動負荷１３は、一般家庭や企業など、電力供給を受けている消費電力が変動する負荷である。尚、図１において、電源３の出力、蓄電機１１の入出力、変動負荷１３の入力が交流電力用と直流電力用で異なる場合は、適宜交流／直流変換器が挿入される。
【００１４】
平準化制御部２０は、目標決定部２２、記憶部２４およびスイッチ制御部２６を有している。目標決定部２２は、後述の記憶部２４に記憶された蓄電残量に基づき平準化目標値を決定し、スイッチ制御部２６に出力する。また、目標決定部２２は、蓄電残量、および決定した平準化目標値を記憶部２４に記憶させる。さらに、目標決定部２２は、図示せぬ平準化周期タイマ、デマンド時限タイマ、監視制御周期タイマを備えており、各周期の管理を行う。平準化目標値の決定方法の詳細については後述する。
【００１５】
記憶部２４は、例えばＲａｎｄｏｍ  Ａｃｃｅｓｓ  Ｍｅｍｏｒｙ（ＲＡＭ）等である。記憶部２４は、平準化制御部２０の動作を制御するプログラム、蓄電装置７から入力される蓄電残量、決定した平準化目標値等を記憶する。スイッチ制御部２６は、目標決定部２２により決定された平準化目標値および蓄電装置７から入力される受電電力および蓄電残量に基づき、スイッチ５の接続状態を切り換える動作信号を出力し、スイッチ５を制御する。
【００１６】
図２は、縦軸に消費電力、横軸に時間をとり、電力平準化制御を概念的に示した図である。図２に示すように、消費電力が目標値より低いときには蓄電機１１を充電し、消費電力が目標値より高いときには、スイッチ５を開放して蓄電機１１から変動負荷１３に電力を供給する。尚、消費電力と目標値は単位時間当りの電力量であっても良い。
【００１７】
図３は、縦軸に電力および電力量、横軸に時間をとり、電力平準化制御の一例を示す図である。電力平準化制御においては、例えば、所定のデマンド時限内で商用電源から受電した総電力量を計量し、計量した受電電力量と平準化目標値との比較に基づき、電源からの受電を制御する。本実施の形態においては、受電電力計測部９が、変動負荷１３の消費電力と蓄電機１１の充電電力の和を電源３からの受電電力Ｐｉｎとして計量している。よって図３を用いて、デマンド時限Ｔ１の間のある時点で、電源３からの受電電力Ｐｉｎを累積した累積電力量Ｅｉｎが平準化目標値を超えるか否かで、スイッチ５を開閉する例について説明する。図３では、受電電力Ｐｉｎ、累積電力量Ｅｉｎ、負荷電力Ｐｌの時間変化を示している。受電電力Ｐｉｎは、受電電力計測部９で計測された電力、累積電力量Ｅｉｎは、受電電力計測部９で計測された受電電力Ｐｉｎが監視時間継続されているとして、デマンド時限の開始時から経過した時間の間累積した電力量である。また、負荷電力Ｐｌは、変動負荷１３の消費電力である。
【００１８】
図３に示すように、変動負荷１３の消費電力が負荷電力Ｐｌのように変化するとき、受電電力Ｐｉｎは、累積電力量Ｅｉｎが平準化目標値ｘに達する時刻ｔ＝０〜ｔ１では、蓄電機が満充電である前提で負荷電力Ｐｌと等しくなる。また、累積電力量Ｅｉｎは、デマンド時限Ｔ１内で累積された電力量であり、平準化目標値ｘに達しない時刻ｔ＝０〜２Ｔ１では、負荷電力が一定の場合ノコギリ波のような軌跡を描く。図３の例では、時刻ｔ＝２Ｔ１付近で負荷電力Ｐｌが上昇する。負荷電力Ｐｌの上昇により受電電力Ｐｉｎも上昇し、時刻ｔ＝ｔ１で累積電力量Ｅｉｎが平準化目標値ｘを超えることになり、スイッチ５が開放され、蓄電機１１は放電を開始する。スイッチ５が開放されている間は、受電電力Ｐｉｎ＝０である。蓄電機１１は、時刻ｔ＝ｔ１〜３Ｔ１の間、放電を行う。
【００１９】
次のデマンド時限に変わる時刻ｔ＝３Ｔ１で、累積電力量Ｅｉｎがリセットされるため、再びスイッチ５が閉じ、電源３からの受電が開始され、時刻ｔ＝３Ｔ〜ｔ２の間、受電が行われる。時刻ｔ＝ｔ２で累積電力量Ｅｉｎが再び平準化目標値ｘを超えることになり、スイッチ５が開放され、蓄電機１１は放電を開始する。以下、同様の動作を繰り返す。なお、本例では蓄電機１１が放電された後の時刻ｔ＝３Ｔ１以降は蓄電機１１が充電されるため、受電電力Ｐｉｎは、負荷電力Ｐｌと蓄電機１１への充電電力とを足し合わせた電力となる。以上のようにして、デマンド時限内の受電電力量Ｅｉｎが平準化目標値ｘと同等の値に制限される電力平準化制御が行われる。
【００２０】
以上のように構成される、第１の実施の形態による電力平準化システム１における平準化目標値の決定方法について説明する。上記のような電力平準化制御において、平準化周期を定め、過去の平準化周期に基づき今後の平準化目標値を更新するフィードバック制御を行う。変動負荷１３は、通常、人間の活動状況に応じて変動するため、例えば１日の周期で電力需要の高い期間と低い期間とが交互に発生することが多い。このため、本実施の形態においては、変動負荷１３の電力需要の高い期間と低い期間とが交互に発生すると予測される周期、例えば昼需要が高く夜需要の低い１日（２４時間）を平準化周期Ｔ０に定める。Ｔ０の別の例では夏需要が高く冬需要の低い１年と定めても良い。そして、電力平準化システム１は、平準化周期Ｔ０内で、蓄電機１１を蓄電容量の上限まで蓄電するとともに、平準化周期内で蓄えた電気を使いきった下限の状態となり、平準化周期の終わりには、平準化周期の初期の蓄電残量と同じになるようにすることが好ましい。
【００２１】
図４は、平準化周期における電力平準化制御の一例を説明する図である。図４において、横軸は時間、縦軸は電力、電力量、および蓄電残量である。図４は、平準化周期Ｔ０における受電電力Ｐｉｎ、累積電力量Ｅｉｎ、負荷電力Ｐｌ、および蓄電残量Ｂｒの変化の一例、および平準化目標値ｘ、蓄電残量初期値Ｂ０を示している。図４に示すように、蓄電残量Ｂｒは、平準化周期Ｔ０の開始時刻ｔ＝０において蓄電残量初期値Ｂ０である。そして、電力平準化システム１において電力平準化制御を行った結果、蓄電残量Ｂｒは時刻ｔ＝ｔ５で最大となり、時刻ｔ＝ｔ６で最低となり、再び平準化周期Ｔ０の終了時刻ｔ＝Ｔ０において蓄電残量Ｂｒ＝Ｂ０となる。このような動作結果となった場合の平準化目標値ｘが、蓄電容量を有効に活用し、デマンド時限内の受電電力量のピークを最も低減することが出来る理想の値である。
【００２２】
次に、蓄電残量Ｂｒの許容下限について、図５を参照しながら説明する。図５は、蓄電残量許容下限の定義を説明する図であり、蓄電残量Ｂｒがゼロになり放電できなくなる状態の例を示す図である。図５においては、横軸は時間、縦軸は電力、電力量、および蓄電残量であり、受電電力Ｐｉｎ、累積電力量Ｅｉｎ、負荷電力Ｐｌ、および蓄電残量Ｂｒの変化の一例、および平準化目標値ｘを示している。図５に示すように、蓄電残量Ｂｒは、監視制御時間Ｔ２毎に蓄電残量計測部１２により計測される。時刻ｔ＝０〜ｔ７では、蓄電機１１は充電されるため、蓄電残量Ｂｒは上昇し、時刻ｔ＝ｔ７〜Ｔ１では、放電が行われるため、蓄電残量Ｂｒは減少する。
【００２３】
図５のように、充放電を繰り返した場合に充電で蓄えられる蓄電残量Ｂｒよりも放電される電力の方が大きい場合には、例えば放電中の監視時刻ｔ＝ｔ１０で蓄電残量Ｂｒ≠０であっても、次の監視時刻前の時刻ｔ＝ｔ１１で蓄電残量Ｂｒ＝０となることが考えられる。すなわち、監視制御時間Ｔ２は有限である為、ある監視時刻に蓄電残量Ｂｒが存在することが計測されても、次の監視時刻までに残量を使い切り、変動負荷１３への電力供給が停止し、負荷停止が発生してしまう。このため、蓄電残量Ｂｒを監視し、空となる前にスイッチ５を閉じることにより電源３からの受電を行うように切り換える制御が必要である。
【００２４】
よって「蓄電残量無し」の判定を行う蓄電残量Ｂｒの下限は、「ゼロ」でなく、次の監視時刻まで需要を賄えるだけの残量を残した値にする必要がある。この値を、蓄電残量許容下限Ｂｌｉｍという。蓄電残量許容下限Ｂｌｉｍは、監視制御時間Ｔ２と蓄電機１１の放電可能最大電力Ｐｍａｘあるいは変動負荷１３の最大電力の積を賄えるだけの蓄電残量Ｂｒの値として決定し、安全の為にマージンαを加えてもよい。蓄電残量許容下限Ｂｌｉｍは、例えば式１で表される。
Ｂｌｉｍ＝１００×Ｐｍａｘ×Ｔ２／Ｂｒｍａｘ＋α  （％）・・・（式１）
ここで、Ｂｒｍａｘは、蓄電機容量である。
【００２５】
次に、図６、図７を参照しながら、蓄電残量使用下限Ｂｌについて説明する。図６は、蓄電残量使用下限の定義を説明する図であり、平準化目標値ｘが必要以上に低い場合の平準化制御の一例を示す図、図７は、蓄電残量使用下限Ｂｌを定めた場合における蓄電残量状態の過不足判定の一例を示す図である。図６、図７において、横軸は時間、縦軸は電力、電力量、および蓄電残量である。図６、図７においては、平準化周期Ｔ０の一例である２４時間における受電電力Ｐｉｎ、累積電力量Ｅｉｎ、負荷電力Ｐｌ、および蓄電残量Ｂｒの変化の一例、並びに平準化目標値ｘ、蓄電残量初期値Ｂ０を示している。
【００２６】
第１の実施の形態による電力平準化システム１では、図５を参照しながら説明したように、蓄電残量許容下限Ｂｌｉｍを設け、蓄電残量許容下限Ｂｌｉｍを下回った場合に停電を避けるため電源３からの受電を再開する。よって、平準化目標値ｘの制御誤差が生じ、必要以上に平準化目標値ｘが低くなった場合、図６のように、蓄電残量Ｂｒが蓄電残量許容下限Ｂｌｉｍを下回り、累積電力量Ｅｉｎにおいて電力量Ｅｐのように受電電力量の高いピークが生じてしまうことがある。このような累積電力量Ｅｉｎのピーク発生を避けるため、図７に示すように、蓄電残量Ｂｒが不足であると判定する値は、「ゼロ」に対して、制御誤差を吸収するマージンを含むように設定しなければならない。この値を、蓄電残量使用下限Ｂｌといい、予め指定した値、または蓄電残量状態の過不足量に応じて決定した値とする。
【００２７】
このように、電力平準化システム１において、目標決定部２２は、蓄電残量使用下限Ｂｌを設定されており、この蓄電残量使用下限Ｂｌを前平準化周期における蓄電残量最小値が下回ったときに蓄電残量状態が不足であると判定する。これにより、蓄電残量Ｂｒは「ゼロ」になる可能性が縮小されるとともに、累積電力量Ｅｉｎの高いピークの発生も防止できる。
【００２８】
さらに、図８を参照しながら、蓄電残量使用上限Ｂｕについて説明する。図８は、蓄電機１１の充電時の蓄電残量Ｂｒの変化を示す図である。図８において、横軸は時間、縦軸は電力、電力量、および蓄電残量であり、受電電力Ｐｉｎ、累積電力量Ｅｉｎ、および蓄電残量Ｂｒの変化の一例を示している。
【００２９】
蓄電機は電源ではないので、平準化の為に放電した電力は充電により取り戻す必要がある。ここで、蓄電機が満充電を維持すると充電機会が得られても充電することが出来ず、放電可能な電力量も減少する場合がある。その結果ピーク削減能力も同様に劣化する為、蓄電残量使用下限と同様に上限に対してもマージンをもって満充電と判定する必要がある。この判定に用いる値を蓄電残量使用上限Ｂｕといい、目標決定部２２において予め指定される。また、一般に蓄電機は、充電電圧の上限が決まっており、満充電に近づくと充電電圧と蓄電機の電圧との差分が小さくなることに伴い充電電流も小さくなるため、充電速度が低下していく。図８に示す例では、時刻ｔ＝ｔ１２において、蓄電残量Ｂｒ≒８５[%]となると、蓄電残量Ｂｒの傾きが変わり、明らかに充電速度が低下する。この充電速度が低下する蓄電容量の領域を、定電圧充電領域という。
【００３０】
ところで、定電圧充電領域を含めて蓄電容量を最大限使う場合、放出した電力を平準化周期内で取り戻す為には、電力平準化システム１は、平準化の為に放電する電力量を充電速度に応じて抑えなければならない。しかし、定電圧充電領域の充電速度は、図８に示すように指数関数的に減少するので、放電可能な電力量は著しく減少し、ピーク削減能力も同様に劣化する。よって、電力平準化システム１では、定電圧充電領域は積極的に用いず、この領域の下限まで蓄電残量が到達していれば満充電とみなしてもよい。この満充電とみなす際の蓄電残量Ｂｒの値を、蓄電残量使用上限Ｂｕとして設定すれば、満充電維持と充電速度の低下による性能劣化を回避出来る為、好ましい。定電圧充電領域の下限は、一般に蓄電器１１の仕様として示される。
【００３１】
上記のような電力平準化システム１において、蓄電残量Ｂｒの平準化周期Ｔ０における変化を基に平準化目標値ｘを決定する電力平準化制御は、以下の基準入力要素を必要とする。すなわち、平準化周期Ｔ０における蓄電残量最大値Ｂｍａｘ、蓄電残量最小値Ｂｍｉｎ、最終蓄電残量Ｂ、および蓄電収支Ｂｄである。最終蓄電残量Ｂは、平準化周期終了時での蓄電残量Ｂｒ、蓄電収支Ｂｄは、平準化周期開始時と終了時の蓄電残量Ｂｒの差分である。
【００３２】
以下、第１の実施の形態による電力平準化システム１の動作を、図９〜図１１のフローチャートを参照しながら説明する。図９〜図１１は、第１の実施の形態による電力平準化システム１の動作を示すフローチャートである。図９に示すように、目標決定部２２において、予め電力平準化制御の初期パラメータ設定が行われる（Ｓ５１）。すなわち平準化周期Ｔ０、デマンド時限Ｔ１、監視制御時間Ｔ２、平準化周期開始時刻が設定され、記憶部２４に格納される。また、平準化目標値決定制御の為の蓄電残量使用上限Ｂｕ（％）、蓄電残量使用下限Ｂｌ（％）、平準化目標値増減値ｄｘ（Ｗｈ）、平準化目標値の初期値ｘ＝ｘ０（Ｗｈ）が設定され、記憶部２４に格納される（Ｓ５２）。
【００３３】
目標決定部２２は、Ｓ５１で設定された平準化周期開始時刻が到来したか否かを、図示せぬ時刻取得部と記憶部２４に格納された平準化周期開始時刻とを比較することにより監視する（Ｓ５３：Ｎｏ）。平準化周期開始時刻が到来すると（Ｓ５３：Ｙｅｓ）、目標決定部２２は、まず、蓄電残量Ｂｒの初期値として蓄電残量Ｂ（％）を取得し（Ｓ５４）、平準化制御を開始する（Ｓ５５）。
【００３４】
図１０の処理に進み、目標決定部２２は、平準化周期タイマ（図示せず）をリセットする（Ｓ６１）。また、目標決定部２２は、蓄電残量最大値Ｂｍａｘ＝Ｂ（％）、蓄電残量最小値Ｂｍｉｎ＝Ｂ（％）、蓄電残量初期値Ｂ０＝Ｂにリセットし（Ｓ６２）、デマンド時限タイマ（図示せず）をリセットする（Ｓ６３）。目標決定部２２は、スイッチ制御部２６に、スイッチ５を閉じて受電を開始させるための動作信号を出力し、スイッチ５は、スイッチ制御部２６からの指示信号により接続を閉じる（Ｓ６４）。目標決定部２２は、累積電力量Ｅｉｎ＝０（Ｗｈ）にリセットするとともに（Ｓ６５）、監視制御周期タイマ（図示せず）をリセットする（Ｓ６６）。
【００３５】
目標決定部２２は、監視制御周期タイマが満了するまで監視し（Ｓ６７：Ｎｏ）、満了すると（Ｓ６７：Ｙｅｓ）、蓄電残量計測部１２で計測された蓄電残量ＢｒをＢとして取得する（Ｓ６８）。目標決定部２２は、取得された蓄電残量Ｂと蓄電残量最大値Ｂｍａｘとを比較し、最終蓄電残量Ｂが蓄電残量最大値Ｂｍａｘ以下である場合には、処理はＳ７１に進む（Ｓ６９：Ｙｅｓ）。蓄電残量Ｂが蓄電残量最大値Ｂｍａｘより大きい場合には（Ｓ６９：Ｎｏ）、蓄電残量最大値Ｂｍａｘを蓄電残量Ｂに更新し（Ｓ７０）、処理はＳ７１に進む。目標決定部２２は、取得された蓄電残量Ｂと蓄電残量最小値Ｂｍｉｎとを比較し、蓄電残量Ｂが蓄電残量最小値Ｂｍｉｎ以上である場合には、処理はＳ７３に進む（Ｓ７１：Ｙｅｓ）。蓄電残量Ｂが蓄電残量最小値Ｂｍｉｎより小さい場合には（Ｓ７１：Ｎｏ）、目標決定部２２は、蓄電残量最小値Ｂｍｉｎを蓄電残量Ｂに更新し（Ｓ７２）、処理はＳ７３に進む。目標決定部２２は、受電電力計測部９により受電電力Ｐｉｎ（Ｗ）を取得する（Ｓ７３）。
【００３６】
図１１の処理に進み、目標決定部２２は、累積受電電力量Ｅｉｎ＝Ｅｉｎ＋Ｐｉｎ×Ｔ２を計算する（Ｓ８１）。スイッチ制御部２６は、Ｓ８１で計算された累積受電電力量Ｅｉｎと現在の平準化目標値ｘとを比較し、累積受電電力量Ｅｉｎが平準化目標値ｘを下回っている場合には（Ｓ８２：Ｎｏ）、処理をＳ８４に進める。スイッチ制御部２６は、Ｓ８１で計算された累積受電電力量Ｅｉｎが平準化目標値ｘ以上の場合には（Ｓ８２：Ｙｅｓ）、スイッチ５に接続を切断する動作信号を出力し、スイッチ５は接続を切断する。このとき蓄電機は入力断を検出し、放電による負荷への給電を開始する（Ｓ８３）。
【００３７】
目標決定部２２が、デマンド時限タイマが満了しないと判別している間は（Ｓ８４：Ｎｏ）、Ｓ６６からＳ８４の処理が繰り返される。目標決定部２２は、デマンド時限タイマが満了したことを判別すると（Ｓ８４：Ｙｅｓ）、平準化周期タイマが満了したか否かを判別する（Ｓ８５）。目標決定部２２が、平準化周期タイマが満了しないと判別している間は（Ｓ８５：Ｎｏ）、Ｓ６３からＳ８５の処理が繰り返される。目標決定部２２は、平準化周期タイマが満了したことを判別すると（Ｓ８５：Ｙｅｓ）、蓄電残量収支Ｂｄ＝Ｂ−Ｂ０を計算し（Ｓ８６）、処理を平準化目標値ｘの決定処理（Ｓ１００）に進める。
【００３８】
Ｓ１００において、目標決定部２２は、蓄電残量最大値Ｂｍａｘ＞蓄電残量使用上限Ｂｕ、かつ、蓄電残量最小値Ｂｍｉｎ＞蓄電残量使用下限Ｂｌ、かつ、蓄電収支Ｂｄ＞０であるという条件に合致するか否かを判別する（Ｓ８７）。判別結果が条件に合致する場合には、平準化目標値ｘ＝ｘ−ｄｘに更新し（Ｓ８８）、Ｓ６１に戻る。判別結果が条件に合致しない場合には、Ｓ８９に進む。
【００３９】
目標決定部２２は、蓄電残量最大値Ｂｍａｘ＜蓄電残量使用上限Ｂｕ、または、蓄電残量最小値Ｂｍｉｎ＜蓄電残量使用下限Ｂｌ、または、蓄電収支Ｂｄ＜０であるという条件に合致するか否かを判別する（Ｓ８９）。判別結果が条件に合致する場合には、平準化目標値ｘ＝ｘ＋ｄｘに更新し（Ｓ９０）、処理はＳ６１に戻る。判別結果が条件に合致しない場合には、処理はそのままＳ６１に戻る。
【００４０】
なお、上記の処理において目標決定部２２は、蓄電残量最大値Ｂｍａｘ、蓄電残量最小値Ｂｍｉｎ、蓄電初期値Ｂ０等を記憶部２４に格納、または記憶部２４から読み出すことにより判別処理などを行っている。
【００４１】
以上のような処理により電力平準化システム１で平準化制御を行った場合の結果について、図１２〜図１５を参照しながら説明する。図１２〜図１５は、第１の実施の形態による平準化制御の結果の例を示す図であり、横軸は時間、縦軸は電力、電力量、および蓄電残量である。図１２〜図１５においては、平準化周期Ｔ０における蓄電残量Ｂｒの変化、蓄電残量初期値Ｂ０、蓄電残量使用上限Ｂｕ、蓄電残量使用下限Ｂｌを示している。また比較のため、受電電力Ｐｉｎ、累積受電電力量Ｅｉｎ、負荷電力Ｐｌおよび平準化目標値ｘを示している。
【００４２】
図１２は、平準化目標値ｘが変動負荷１３の機器構成および需用電力変動に対し最適であった場合の平準化制御の結果を示す図である。図１２において、平準化周期Ｔ０は２４時間である。図１２に示すように、蓄電残量Ｂｒは、平準化周期Ｔ０の開始時、蓄電残量Ｂｒ＝Ｂ０であり、その後、３時間経過前に蓄電残量最大値Ｂｍａｘを記録している。蓄電残量Ｂｒは、１２時間経過前には、蓄電残量最小値Ｂｍｉｎを記録し、再び上昇して平準化周期Ｔ０の終わりの２４時経過時に最終蓄電残量Ｂとなっている。このとき、蓄電残量最大値Ｂｍａｘは蓄電残量使用上限Ｂｕであり、蓄電残量最小値Ｂｍｉｎは、蓄電残量使用下限Ｂｌである。また、蓄電収支Ｂｄはゼロである。よって、この平準化周期Ｔ０における第１の実施の形態による電力平準化システム１においては最適な平準化目標値ｘが設定されていることになり、次の平準化周期Ｔ０において平準化目標値ｘは修正されない。
【００４３】
図１３は、平準化制御の結果の一例を示す図である。図１３の例では、領域１３Ａにおいて、蓄電残量最小値Ｂｍｉｎが蓄電残量使用下限Ｂｌを下回っている。領域１３Ｂでは、蓄電残量最大値Ｂｍａｘが蓄電残量使用上限Ｂｕを超えており、領域１３Ｃでは、蓄電収支Ｂｄがゼロを上回っている。上述の処理１００により、このとき蓄電残量Ｂｒは不足であると判定される。よって、次の平準化周期Ｔ０では、平準化目標値ｘを増加させることになる。
【００４４】
図１４は、平準化制御の結果の別の一例を示す図である。図１４の例では、領域１４Ａにおいて、蓄電残量最大値Ｂｍａｘは、蓄電残量使用上限Ｂｕを下回っている。領域１４Ｂでは、蓄電残量最小値Ｂｍｉｎが蓄電残量使用下限Ｂｌを上回っている。領域１４Ｃでは、蓄電収支Ｂｄはほぼゼロである。上述の処理１００により、このとき蓄電残量Ｂｒは過多でも不足でもないと判定される。よって、次の平準化周期Ｔ０では、平準化目標値ｘを維持させることになる。このような場合に、一旦平準化目標値ｘを増加させて蓄電収支Ｂｄを正の値にし、再度平準化目標値ｘを戻すと、同じ平準化目標値ｘでも蓄電残量Ｂｒが過多になる場合もある。
【００４５】
図１５は、平準化制御の結果のさらに別の一例を示す図である。図１５の例では、領域１５Ａにおいて、蓄電残量最小値Ｂｍｉｎが蓄電残量使用下限Ｂｌを上回っている。領域１５Ｂでは、蓄電残量最大値Ｂｍａｘが蓄電残量使用上限Ｂｕを超えており、領域１５Ｃでは、蓄電収支Ｂｄがゼロを上回っている。上述の処理１００により、このとき蓄電残量Ｂｒは過多であると判定される。よって、次の平準化周期Ｔ０では、平準化目標値ｘを減少させることになる。
【００４６】
図１６は、上記のような平準化制御を約１０００日間行った場合の結果の一例を示す図である。図１６において、横軸は日数、縦軸は累積電力および蓄電残量である。図１６に示すように、平準化制御前は、平準化目標値ｘを上回るピーク電力量を示す日が多いのに対し、平準化制御を行うことにより、ピーク電力量が平準化目標値を超える日がほとんどなくなっている。図１６の例では、平準化制御により１割程度のピーク電力量の削減効果が得られる。
【００４７】
以上説明したように、第１の実施の形態による電力平準化システム１は、電源３と、蓄電装置７および変動負荷１３がスイッチ５を介して接続されるとともに、スイッチ５の動作を制御するための平準化制御部２０を備えている。平準化制御部２０は、平準化周期Ｔ０における蓄電残量最大値Ｂｍａｘ、蓄電残量最小値Ｂｍｉｎ、および蓄電収支Ｂｄに基づき次の平準化周期Ｔ０における平準化目標値ｘを更新する。また、平準化制御部２０は、更新された平準化目標値ｘに基づきスイッチ５の開閉を制御することにより、電力平準化システム１において平準化制御を行う。
【００４８】
第１の実施の形態による電力平準化システム１によれば、蓄電機１１や、その充放電回路の損失、充電速度等は、それがどのように変化したとしても蓄電残量Ｂｒの増減として現れる。よって、第１の実施の形態による電力平準化システム１における蓄電残量に基づく電力平準化制御では、電力平準化システム１の特性をモデル化せずとも、特性の影響を含む平準化目標値を決定することができる。また、電力平準化システム１は、変動負荷１３の電力需要がどのように変化するかに依らない制御を行っている。電力平準化システム１は、平準化周期Ｔ０の終了時に記憶部２４に記憶された、平準化周期Ｔ０における蓄電残量Ｂｒの遷移を代表する値に基づき、平準化目標値ｘを決定するため、蓄電容量が有効に使用されていることよってのみの制御である。よって、変動負荷１３の需要予測が不要であり、簡易な処理で平準化目標値を決定することができる。また、システムのモデル化および需要予測を用いていないので、より実際の電力平準化システム１に則した電力平準化制御が可能であり、消費電力の削減効果を奏することもできる。また、第１の実施の形態による電力平準化制御は、電力需要の高い期間と低い期間とが交互に発生すると予測される周期を平準化周期Ｔ０として定め、その平準化周期Ｔ０内での蓄電残量Ｂｒの変動に応じた制御である。これにより、蓄電容量を有効に活用できるとともに、負荷の変動の特徴を生かした制御とすることができる。
【００４９】
蓄電残量Ｂｒに基づく制御を行う際に、蓄電残量最小値Ｂｍｉｎに対する閾値として「ゼロ」でない蓄電残量使用下限Ｂｌが設定されているため、蓄電残量Ｂｒが「ゼロ」になる可能性が縮小される。また、蓄電残量最大値Ｂｍａｘに対する閾値として蓄電残量使用上限Ｂｕが設けられているため、充電速度が減少することにより放電可能な電力量が著しく減少する蓄電残量Ｂｒの領域の使用を制限することができ、平準化性能の劣化を防止することが可能である。
【００５０】
（第１の実施の形態の変形例１）
以下、第１の実施の形態による電力平準化システム１の変形例１について説明する。本変形例１は、第１の実施の形態において説明した平準化目標値ｘの決定処理（Ｓ１００）の変形例である。本変形例において、電力平準化システム１の構成およびＳ１００以外の処理は第１の実施の形態と同様であるため、重複説明を省略する。本変形例においては、第１の実施の形態において説明した基準入力要素に関する条件を、次の平準化周期Ｔ０において、平準化目標値ｘを増加させるか減少させるかにより以下のように定める。
【００５１】
減少条件）平準化目標値ｘを減少させる場合
条件１ａ）  蓄電残量最大値Ｂｍａｘ＞蓄電残量使用上限Ｂｕ
条件１ｂ）  蓄電残量最小値Ｂｍｉｎ＞蓄電残量使用下限Ｂｌ
条件１ｃ）  蓄電収支Ｂｄ＞０
条件１ｄ）  最終蓄電残量Ｂ＞蓄電残量使用上限Ｂｕ
増加条件）平準化目標値ｘを増加させる場合
条件２ａ）  蓄電残量最大値Ｂｍａｘ＜蓄電残量使用上限Ｂｕ
条件２ｂ）  蓄電残量最小値Ｂｍｉｎ＜蓄電残量使用下限Ｂｌ
条件２ｃ）  蓄電収支Ｂｄ＜０
条件２ｄ）  最終蓄電残量Ｂ＜蓄電残量使用上限Ｂｕ
【００５２】
上記、減少条件について４通り、増加条件について４通りの条件から、決定条件としてそれぞれ少なくとも一つを選ぶ。複数の条件を選んだ場合には、それらの論理和または論理積をとる。本変形例においては、例えば蓄電容量に充分な余裕がない場合について、停電を避けるため、平準化目標値ｘを増加させる増加条件を優先することにし、減少条件においては論理積、増加条件では論理和をとることにする。このようにすると、減少条件について１５通り、増加条件について１５通りの条件が得られる。さらに、減少条件に当てはまるか否か、すなわち、平準化目標値ｘを増加させる条件に当てはまるか否かを先に判別する場合と、増加条件に当てはまるか否かを先に判別する場合とを考慮すると、１５×１５×２＝４５０通りの条件が得られる。これらの条件は全て、電力平準化システム１において適用可能であり、第１の実施の形態による変形例１に含まれる。なお、この４５０通りの中には、第１の実施の形態において説明した平準化目標値ｘの決定条件も含まれることになる。
【００５３】
第１の実施の形態において説明した条件は、以下のように表される。
減少条件）：条件１ａ、かつ、条件１ｂ、かつ、条件１ｃ（論理積）
増加条件）：条件２ａ、または、条件２ｂ、または、条件２ｃ（論理和）
以下、上記の４５０通りの条件の中から、いくつかの例について説明する。まず、図１７を参照しながら、平準化目標値ｘを減少させるか否かを判別する処理を先に行う例について説明する。図１７は、減少条件について条件１ａを採用し、増加条件について採用した条件を変えた例である。ここで図１７（ａ）は、１つの条件を採用した例、（ｂ）は２つの条件を採用した例、（ｃ）は３つの条件を採用した例、（ｄ）は４つの条件を採用した例である。
【００５４】
図１７（ａ）においては、減少条件、増加条件ともに一つずつの条件を採用している。図１７（ａ）に示すように、目標決定部２２は、蓄電残量最大値Ｂｍａｘ＞蓄電残量使用上限Ｂｕであるか否かを判別し、条件に当てはまる場合には（Ｓ１１１：Ｙｅｓ）、平準化目標値ｘ＝ｘ−ｄｘに更新し（Ｓ１１２）、図１０のＳ６１に戻る。条件に当てはまらない場合には（Ｓ１１１：Ｎｏ）、Ｓ１１３に進む。続いて目標決定部２２は、蓄電残量最大値Ｂｍａｘ＜蓄電残量使用上限Ｂｕであるか否か判別し、条件に当てはまる場合には（Ｓ１１３：Ｙｅｓ）、平準化目標値ｘ＝ｘ＋ｄｘに更新し（Ｓ１１４）、図１０のＳ６１に戻る。条件に当てはまらない場合には（Ｓ１１３：Ｎｏ）、そのままＳ６１に戻る。
【００５５】
図１７（ｂ）においては、減少条件では１つの条件、増加条件では２つの条件を採用している。図１７（ｂ）に示すように、目標決定部２２は、蓄電残量最大値Ｂｍａｘ＞蓄電残量使用上限Ｂｕであるか否かを判別する。条件に当てはまる場合には（Ｓ１１５：Ｙｅｓ）、平準化目標値ｘ＝ｘ−ｄｘに更新し（Ｓ１１６）、図１０のＳ６１に戻る。条件に当てはまらない場合には（Ｓ１１５：Ｎｏ）、Ｓ１１７に進む。続いて目標決定部２２は、蓄電残量最大値Ｂｍａｘ＜蓄電残量使用上限Ｂｕまたは、蓄電残量最小値Ｂｍｉｎ＜蓄電残量使用下限Ｂｌであるか否かを判別する。条件に当てはまる場合には（Ｓ１１７：Ｙｅｓ）、平準化目標値ｘ＝ｘ＋ｄｘに更新し（Ｓ１１８）、図１０のＳ６１に戻る。条件に当てはまらない場合には（Ｓ１１７：Ｎｏ）、そのままＳ６１に戻る。
【００５６】
図１７（ｃ）においては、減少条件では１つの条件、増加条件では３つの条件を採用している。図１７（ｃ）に示すように、目標決定部２２は、蓄電残量最大値Ｂｍａｘ＞蓄電残量使用上限Ｂｕであるか否かを判別する。条件に当てはまる場合には（Ｓ１１９：Ｙｅｓ）、平準化目標値ｘ＝ｘ−ｄｘに更新し（Ｓ１２０）、図１０のＳ６１に戻る。条件に当てはまらない場合には（Ｓ１１９：Ｎｏ）、Ｓ１２１に進む。続いて目標決定部２２は、蓄電残量最大値Ｂｍａｘ＜蓄電残量使用上限Ｂｕまたは、蓄電残量最小値Ｂｍｉｎ＜蓄電残量使用下限Ｂｌ、または蓄電収支Ｂｄ＜０であるか否かを判別する（Ｓ１２１）。条件に当てはまる場合には（Ｓ１２１：Ｙｅｓ）、平準化目標値ｘ＝ｘ＋ｄｘに更新し（Ｓ１２２）、図１０のＳ６１に戻る。条件に当てはまらない場合には（Ｓ１２１：Ｎｏ）、そのままＳ６１に戻る。
【００５７】
図１７（ｄ）においては、減少条件では１つの条件、増加条件では４つの条件を採用している。図１７（ｄ）に示すように、目標決定部２２は、蓄電残量最大値Ｂｍａｘ＞蓄電残量使用上限Ｂｕであるか否かを判別する。条件に当てはまる場合には（Ｓ１２３：Ｙｅｓ）、平準化目標値ｘ＝ｘ−ｄｘに更新し（Ｓ１２４）、図１０のＳ６１に戻る。条件に当てはまらない場合には（Ｓ１２３：Ｎｏ）、処理はＳ１２５に進む。続いて目標決定部２２は、蓄電残量最大値Ｂｍａｘ＜蓄電残量使用上限Ｂｕまたは、蓄電残量最小値Ｂｍｉｎ＜蓄電残量使用下限Ｂｌ、または蓄電収支Ｂｄ＜０、または最終蓄電残量Ｂ＜蓄電残量使用上限Ｂｕであるか否かを判別する（Ｓ１２５）。条件に当てはまる場合には（Ｓ１２５：Ｙｅｓ）、平準化目標値ｘ＝ｘ＋ｄｘに更新し（Ｓ１２６）、図１０のＳ６１に戻る。条件に当てはまらない場合には（Ｓ１２５：Ｎｏ）、そのままＳ６１に戻る。
【００５８】
次に、図１８を参照しながら、平準化目標値ｘを増加させる処理を先に行う場合について説明する。図１８は、増加条件について条件２ａを採用し、減少条件について採用した条件を変えた例である。ここで図１８（ａ）は、１つの条件を採用した例、（ｂ）は２つの条件を採用した例、（ｃ）は３つの条件を採用した例、（ｄ）は４つの条件を採用した例である。
【００５９】
図１８（ａ）においては、減少条件、増加条件ともに一つずつの条件を採用している。図１８（ａ）に示すように、目標決定部２２は、蓄電残量最大値Ｂｍａｘ＜蓄電残量使用上限Ｂｕであるか否かを判別し、条件に当てはまる場合には（Ｓ１３１：Ｙｅｓ）、平準化目標値ｘ＝ｘ＋ｄｘに更新し（Ｓ１３２）、図１０のＳ６１に戻る。条件に当てはまらない場合には（Ｓ１３１：Ｎｏ）、Ｓ１３３に進む。続いて目標決定部２２は、蓄電残量最大値Ｂｍａｘ＞蓄電残量使用上限Ｂｕであるか否か判別し、条件に当てはまる場合には（Ｓ１３３：Ｙｅｓ）、平準化目標値ｘ＝ｘ−ｄｘに更新し（Ｓ１３４）、図１０のＳ６１に戻る。条件に当てはまらない場合には（Ｓ１３３：Ｎｏ）、そのままＳ６１に戻る。
【００６０】
図１８（ｂ）においては、増加条件では１つの条件、減少条件では２つの条件を採用している。図１８（ｂ）に示すように、目標決定部２２は、蓄電残量最大値Ｂｍａｘ＜蓄電残量使用上限Ｂｕであるか否かを判別する。条件に当てはまる場合には（Ｓ１３５：Ｙｅｓ）、平準化目標値ｘ＝ｘ＋ｄｘに更新し（Ｓ１３６）、図１０のＳ６１に戻る。条件に当てはまらない場合には（Ｓ１３５：Ｎｏ）、Ｓ１３７に進む。続いて目標決定部２２は、蓄電残量最大値Ｂｍａｘ＞蓄電残量使用上限Ｂｕまたは、蓄電残量最小値Ｂｍｉｎ＞蓄電残量使用下限Ｂｌであるか否かを判別する。条件に当てはまる場合には（Ｓ１３７：Ｙｅｓ）、平準化目標値ｘ＝ｘ−ｄｘに更新し（Ｓ１３８）、図１０のＳ６１に戻る。条件に当てはまらない場合には（Ｓ１３７：Ｎｏ）、そのままＳ６１に戻る。
【００６１】
図１８（ｃ）においては、増加条件では１つの条件、減少条件では３つの条件を採用している。図１８（ｃ）に示すように、目標決定部２２は、蓄電残量最大値Ｂｍａｘ＜蓄電残量使用上限Ｂｕであるか否かを判別する。条件に当てはまる場合には（Ｓ１３９：Ｙｅｓ）、平準化目標値ｘ＝ｘ＋ｄｘに更新し（Ｓ１４０）、図１０のＳ６１に戻る。条件に当てはまらない場合には（Ｓ１３９：Ｎｏ）、Ｓ１４１に進む。続いて目標決定部２２は、蓄電残量最大値Ｂｍａｘ＞蓄電残量使用上限Ｂｕまたは、蓄電残量最小値Ｂｍｉｎ＞蓄電残量使用下限Ｂｌ、または蓄電収支Ｂｄ＞０であるか否かを判別する（Ｓ１４１）。条件に当てはまる場合には（Ｓ１４１：Ｙｅｓ）、平準化目標値ｘ＝ｘ−ｄｘに更新し（Ｓ１４２）、図１０のＳ６１に戻る。条件に当てはまらない場合には（Ｓ１４１：Ｎｏ）、そのままＳ６１に戻る。
【００６２】
図１８（ｄ）においては、増加条件では１つの条件、減少条件では４つの条件を採用している。図１８（ｄ）に示すように、目標決定部２２は、蓄電残量最大値Ｂｍａｘ＜蓄電残量使用上限Ｂｕであるか否かを判別する。条件に当てはまる場合には（Ｓ１４３：Ｙｅｓ）、平準化目標値ｘ＝ｘ＋ｄｘに更新し（Ｓ１４４）、図１０のＳ６１に戻る。条件に当てはまらない場合には（Ｓ１４５：Ｎｏ）、処理はＳ１４５に進む。続いて目標決定部２２は、蓄電残量最大値Ｂｍａｘ＞蓄電残量使用上限Ｂｕまたは、蓄電残量最小値Ｂｍｉｎ＞蓄電残量使用下限Ｂｌ、または蓄電収支Ｂｄ＞０、または最終蓄電残量Ｂ＞蓄電残量使用上限Ｂｕであるか否かを判別する（Ｓ１４５）。条件に当てはまる場合には（Ｓ１４５：Ｙｅｓ）、平準化目標値ｘ＝ｘ−ｄｘに更新し（Ｓ１４６）、図１０のＳ６１に戻る。条件に当てはまらない場合には（Ｓ１４５：Ｎｏ）、そのままＳ６１に戻る。
【００６３】
以上説明したように、第１の実施の形態による変形例１によれば、第１の実施の形態による電力平準化システム１が奏する効果と効果の度合いは異なるものの同様の効果が得られる。
【００６４】
なお、例えば蓄電容量に充分な余裕が有る場合について、平準化目標値ｘを減少させる減少条件を優先することにし、論理積または論理和については、逆にしても同様の効果が得られる。また、本変形例において、各条件においては不等号のみを用いたが、等号を含む、含まないに関わらず、同様の効果が得られるため、任意の条件に等号を含めるようにしてもよい。
【００６５】
（第１の実施の形態の変形例２）
以下、第１の実施の形態の変形例２について説明する。第１の実施の形態の変形例２において、第１の実施の形態およびその変形例１と同様の構成および動作については、重複説明を省略する。
【００６６】
図１９は、第１の実施の形態の変形例２における平準化目標値ｘの決定方法を示すフローチャートである。図１９は、第１の実施の形態によるフローチャートのＳ１００の部分の処理を示した図である。第１の実施の形態の変形例２による平準化目標値ｘの決定方法を、第１の実施の形態において説明した条件を用いて説明する。
【００６７】
図１９においては、減少条件、増加条件として共に３つの条件を採用している。図１９に示すように、目標決定部２２は、蓄電残量最小値Ｂｍｉｎ≦蓄電残量使用下限Ｂｌであるか否か、または最終蓄電残量Ｂ＜蓄電残量使用上限Ｂｕ、かつ蓄電収支Ｂｄ＜０であるか否かを判別する。条件に当てはまる場合には（Ｓ１５１：Ｙｅｓ）、平準化目標値ｘ＝ｘ＋ｄｘに更新し（Ｓ１５２）、図１０のＳ６１に戻る。条件に当てはまらない場合には（Ｓ１５１：Ｎｏ）、Ｓ１５３に進む。続いて目標決定部２２は、蓄電残量最大値Ｂｍａｘ＞蓄電残量使用上限Ｂｕ、かつ、蓄電収支Ｂｄ≧０または最終蓄電残量Ｂ＞蓄電残量使用上限Ｂｕであるか否かを判別する（Ｓ１５３）。条件に当てはまる場合には（Ｓ１５３：Ｙｅｓ）、平準化目標値ｘ＝ｘ−ｄｘに更新し（Ｓ１５４）、図１０のＳ６１に戻る。条件に当てはまらない場合には（Ｓ１５３：Ｎｏ）、そのままＳ６１に戻る。
【００６８】
以上説明したように、第１の実施の形態の変形例２による平準化目標値ｘの決定方法によれば、第１の実施の形態およびその変形例による効果と同様の効果を奏するとともに、さらに実際の電力平準化システム１にあった電力平準化制御が可能になる。
【００６９】
なお、第１の実施の形態の変形例２において、各条件において等号を含む、含まないに関わらず、同様の効果が得られるため、任意の条件について等号を含んでも含まなくてもよい。また、例えば蓄電容量に充分な余裕が有る場合について、平準化目標値ｘを減少させる減少条件を優先することにし、論理積または論理和について、逆にしても同様の効果が得られる。さらに、各条件同士の論理和、論理積の優先度や組み合わせを任意に変形しても効果の度合いは異なるものの同様の効果を得ることができる。
【００７０】
（第２の実施の形態）
以下、第２の実施の形態による電力平準化システムについて説明する。本実施の形態において、第１の実施の形態およびその変形例１、２と同様の構成および動作については、重複説明を省略する。
【００７１】
図２０は、第２の実施の形態による電力平準化システム５０の構成を示す図である。第２の実施の形態による電力平準化システム５０は、第１の実施の形態およびその変形例１、変形例２による電力平準化システム１とほぼ同様の構成であるが、目標決定部２２に代えて目標決定部２３、スイッチ制御部２６に代えてスイッチ制御部２５を有する平準化制御部２１を備えている。
【００７２】
図２０に示すように、電力平準化システム５０においては、スイッチ制御部２５は、矢印２７に示したように、スイッチ５のスイッチ状態を目標決定部２３に出力するように構成されている。目標決定部２３は、取得したスイッチ状態に基づき、蓄電機１１の放電を検出し、放電実績を記憶部２４に格納する。また、目標決定部２３は、受電電力Ｐｉnを記憶部２４に格納し、格納した受電電力Ｐｉｎに基づき波高値ＣＦ（平均累積電力量Ｅａｖに対する最大累積電力量Ｅｐｋの比）を算出する。第２の実施の形態による電力平準化システム５０では、平準化目標値ｘの増加条件および減少条件にさらに判定条件が追加される。
【００７３】
まず、図２１を参照しながら、増加判定の条件について説明する。新たに追加する増加判定の条件は、平準化目標値ｘの決定において、蓄電残量最小値Ｂｍｉｎが蓄電残量使用下限Ｂｌを下回っていたとしても、放電が１度も発生していない場合は、目標値が高すぎることを意味するので、増加させないという条件である。
【００７４】
図２１は、平準化周期Ｔ０において一度も放電が発生しない場合について、平準化周期Ｔ０における蓄電残量Ｂｒの変化、蓄電残量初期値Ｂ０、蓄電残量使用上限Ｂｕ、蓄電残量使用下限Ｂｌを示している。また比較のため、受電電力Ｐｉｎ、累積電力量Ｅｉｎ、負荷電力Ｐｌおよび平準化目標値ｘを示している。
【００７５】
図２１に示すように、平準化周期Ｔ０の開始時を含め領域１９Ａにおいて、蓄電残量Ｂｒ＜蓄電残量使用下限Ｂｌである。よって、図２１に示した蓄電残量Ｂｒは、蓄電残量最小値Ｂｍｉｎ＜蓄電残量使用下限Ｂｌに当てはまり、例えば第１の実施の形態によれば、平準化目標値ｘを増加させる条件に当てはまる。しかしながら、図２１の例では平準化目標値ｘが平準化周期内の受電電力量ピークよりも高い為、一度も放電が起きていない。このことから、例えば図２１に示した範囲１９Ｂは、平準化目標値ｘが過剰に高い範囲と考えられ、図２１の例は明らかに平準化目標値ｘを上げる必要がない。すなわち、平準化周期Ｔ０において、一度も放電が行なわれない場合には、平準化目標値ｘを増加させないようにすることが好ましい。このため、放電フラグＦｄｃを設定し、電力平準化システム５０の平準化制御中にスイッチ５が切断されたときに、放電フラグＦｄｃ＝１として記憶部２４に格納することにより放電を記録し、放電フラグＦｄｃを平準化目標値ｘ決定の一つの条件とする。尚、平準化周期開始時には、Ｆｄｃ＝０としてリセットを行う。
【００７６】
次に、図２２、図２３を参照しながら、平準化目標値ｘの減少判定の条件について説明する。新たに追加する条件は、平準化周期Ｔ０における最大の累積受電電力量Ｅｉｎの、平均受電電力に対する比が所定値よりも小さい場合には、平準化目標値ｘを減少させないという条件である。
【００７７】
図２２、図２３は、平準化周期Ｔ０における変動負荷１３の稼動状況に応じた受電電力Ｐｉｎ、累積受電電力量Ｅｉｎ、負荷電力Ｐｌ、蓄電残量Ｂｒおよび平準化目標値ｘを示す図であり、連続した平準化周期Ｔ０について示している。図２２において、（ａ）は、第１回目の平準化周期Ｔ０に関して示し、（ｂ）は第２回目の平準化周期Ｔ０に関して示している。図２３は、３回目の平準化周期Ｔ０について示しており、（ａ）は、平準化目標値ｘを減少させた場合を示し、（ｂ）は、平準化目標値ｘを維持した場合を示す。
【００７８】
図２２（ａ）に示すように、１回目の平準化周期Ｔ０は例えば平日であり、変動負荷１３は稼動している状態である。このとき、蓄電残量Ｂｒは平準化周期Ｔ０を通して過多であり、例えば第１の実施の形態における平準化目標値ｘを減少させる条件を満たしているため、図２２（ｂ）に示す２回目の平準化周期Ｔ０では、平準化目標値ｘは減少している。２回目の平準化周期Ｔ０は、例えば休日のため変動負荷１３が稼動を休止しているとする。しかし、負荷が休止していたとしても、やはり蓄電残量Ｂｒが過多であり、第１の実施の形態における平準化目標値ｘを減少させる条件を満たしているため、３回目の平準化周期Ｔ０では、さらに平準化目標値ｘを減少させることとなる（図２３（ａ））。
【００７９】
３回目の平準化周期Ｔ０では、変動負荷１３は稼動しているとすると、図２３（ａ）のように、平準化目標値ｘが低すぎ、放電により蓄電残量Ｂｒが急激に減少し、不足してしまう。そこで、このように変動負荷１３が稼動していない平準化周期Ｔ０では、そもそも需要が低く平準化の必要が無い為、目標決定制御を停止する。即ち、次の平準化周期Ｔ０における平準化目標値ｘを減少させず、平準化目標値ｘが低くなりすぎないようにすることが好ましい。
【００８０】
変動負荷１３の稼働休止判定は、平準化周期Ｔ０における波高値ＣＦが、予め指定した稼動判定閾値Ｓｃｆを下回ることを以て行う。実際には、波高値ＣＦが小さくても変動負荷１３が稼働している場合があるが、波高値ＣＦが小さいということは、もともと負荷変動が平準化されていることを意味する。この場合、平準化周期Ｔ０を減少させる意味が小さいので、稼働休止扱いに含める。単純に平均累積電力量Ｅａｖや最大累積電力量Ｅｐｋの大きさによる稼働休止判定では、実際に負荷電力が減少した際にも休止判定されてしまうため、上記のように波高値による判定を採用することが好ましい。
【００８１】
尚、受電電力は平準化制御による充放電の為に、負荷による需要傾向が正確には反映されない。よって、負荷電力を計測する手段を有するシステムにおいては、波高値ＣＦは受電電力ではなく、負荷電力計測値を基に計算することが稼働停止判定の精度が高まる為に好ましい。第２の実施の形態電力平準化システム５０は、平準化制御の為に既に備えている受電電力計測手段を流用して稼働判定が実現できる為、システムの簡素化の点で好ましい。
【００８２】
以下、図２４〜図２７を参照しながら、第２の実施の形態による電力平準化システム５０の動作について説明する。図２４〜図２７は、第２の実施の形態による電力平準化システム５０の動作を示すフローチャートである。図２４に示すように、第１の実施の形態による電力平準化システム１の動作と同様、目標決定部２３において、予め電力平準化制御の初期パラメータ設定が行われている（Ｓ２０１）。すなわち平準化周期Ｔ０、デマンド時限Ｔ１、監視制御時間Ｔ２、平準化周期開始時刻が設定され、記憶部２４に格納される。また、平準化目標値決定制御の為の蓄電残量使用上限Ｂｕ（％）、蓄電残量使用下限Ｂｌ（％）、平準化目標値増減値ｄｘ（Ｗｈ）、平準化目標値の初期値ｘ＝ｘ０（Ｗｈ）が設定され、記憶部２４に格納される（Ｓ２０２）。さらに第２の実施の形態において、稼動判定閾値Ｓｃｆが設定され、記憶部２４に格納される（Ｓ２０３）。
【００８３】
目標決定部２３は、Ｓ２０１で設定された平準化周期開始時刻が到来したか否かを、図示せぬ時刻取得部と記憶部２４に格納された平準化周期開始時刻とを比較することにより監視する（Ｓ２０４：Ｎｏ）。平準化周期開始時刻が到来すると（Ｓ２０４：Ｙｅｓ）、目標決定部２３は、まず、蓄電残量Ｂｒの初期値として蓄電残量Ｂ（％）を取得し（Ｓ２０５）、平準化制御を開始する（Ｓ２０６）。
【００８４】
図２５の処理に進み、目標決定部２３は、平準化周期タイマをリセットする（Ｓ２０７）。また、目標決定部２３は、蓄電残量最大値Ｂｍａｘ＝Ｂ（％）、蓄電残量最小値Ｂｍｉｎ＝Ｂ（％）、蓄電残量初期値Ｂ０＝Ｂにリセット（Ｓ２０８）する。第２の実施の形態においては、目標決定部２３は、放電フラグＦｄｃ＝０にリセットし（Ｓ２０９）、平均累積電力量Ｅａｖ＝０（Ｗｈ）、ピーク累積電力量Ｅｐｋ＝０（Ｗｈ）（Ｓ２１０）にリセットする。さらに目標決定部２３は、デマンド時限タイマ（図示せず）をリセットする（Ｓ２１１）。
【００８５】
目標決定部２３は、スイッチ制御部２５に、スイッチ５を閉じて受電を開始させるための指示信号を出力し、スイッチ５は、スイッチ制御部２５からの動作信号により接続を閉じる（Ｓ２１２）。目標決定部２３は、累積電力量Ｅｉｎ＝０（Ｗｈ）にリセットするとともに（Ｓ２１３）、監視制御周期タイマ（図示せず）をリセットする（Ｓ２１４）。また、目標決定部２３は、監視制御周期タイマが満了するまで監視し（Ｓ２１５：Ｎｏ）、満了すると（Ｓ２１５：Ｙｅｓ）、蓄電残量計測部１２で計測された蓄電残量ＢｒをＢとして取得する（Ｓ２１６）。
【００８６】
図２６の処理に進んで、目標決定部２３は、取得された蓄電残量Ｂと蓄電残量最大値Ｂｍａｘとを比較し、蓄電残量Ｂが蓄電残量最大値Ｂｍａｘ以下である場合には、処理はＳ２２２に進む（Ｓ２２０：Ｙｅｓ）。蓄電残量Ｂが蓄電残量最大値Ｂｍａｘより大きい場合には（Ｓ２２０：Ｎｏ）、蓄電残量最大値Ｂｍａｘを蓄電残量Ｂに更新し（Ｓ２２１）、処理はＳ２２２に進む。目標決定部２３は、取得された蓄電残量Ｂと蓄電残量最小値Ｂｍｉｎとを比較し、蓄電残量Ｂが蓄電残量最小値Ｂｍｉｎ以上である場合には、処理はＳ２２４に進む（Ｓ２２２：Ｙｅｓ）。蓄電残量Ｂが蓄電残量最小値Ｂｍｉｎより小さい場合には（Ｓ２２２：Ｎｏ）、蓄電残量最小値Ｂｍｉｎを蓄電残量Ｂに更新し（Ｓ２２３）、処理はＳ２２４に進む。目標決定部２３は、受電電力計測部９により受電電力Ｐｉｎ（Ｗ）を取得する（Ｓ２２４）。
【００８７】
目標決定部２３は、累積受電電力量Ｅｉｎ＝Ｅｉｎ＋Ｐｉｎ×Ｔ２を計算する（Ｓ２２４）。スイッチ制御部２５は、Ｓ２２４で計算された累積受電電力量Ｅｉｎと現在の平準化目標値ｘとを比較し、累積受電電力量Ｅｉｎが平準化目標値ｘを下回っている場合には（Ｓ２２６：Ｎｏ）、処理をＳ２２９に進める。スイッチ制御部２５は、Ｓ２２５で計算された累積受電電力量Ｅｉｎが平準化目標値ｘ以上の場合には（Ｓ２２６：Ｙｅｓ）、スイッチ５に接続を切断する動作信号を出力し、スイッチ５は接続を切断する（Ｓ２２７）とともに、放電フラグＦｄｃ＝１とする（Ｓ２２８）。
【００８８】
目標決定部２３が、デマンド時限タイマが満了しないと判別している間は（Ｓ２２９：Ｎｏ）、図２５のＳ２１４から図２６のＳ２２９の処理が繰り返される。目標決定部２３は、デマンド時限タイマが満了したことを判別すると（Ｓ２２９：Ｙｅｓ）、平均累積受電電力量Ｅａｖ＝Ｅａｖ＋Ｅｉｎ／（Ｔ０／Ｔ２）を算出する（Ｓ２３０）。
【００８９】
図２７の処理に進んで、目標決定部２３は、累積受電電力量Ｅｉｎ≦ピーク累積受電電力量Ｅｐｋであるか否かを判別する（Ｓ２４０）。判別の結果が条件に合わない場合には（Ｓ２４０：Ｎｏ）、ピーク累積受電電力量Ｅｐｋ＝Ｅｉｎとして（Ｓ２４１）Ｓ２４２に進み、条件に合った場合にはそのままＳ２４２に進む（Ｓ２４０：Ｙｅｓ）。続いて、目標決定部２３は、平準化周期タイマが満了したか否かを判別する（Ｓ２４２）。目標決定部２３が、平準化周期タイマが満了しないと判別している間は（Ｓ２４２：Ｎｏ）、図２５のＳ２２１から図２７のＳ２４２までの処理が繰り返される。目標決定部２３は、平準化周期タイマが満了したことを判別すると（Ｓ２４２：Ｙｅｓ）、波高率ＣＦ＝Ｅｐｋ／Ｅａｖと設定する。ここで０／０は「１」と定義する（Ｓ２４３）。また、目標決定部２３は、蓄電残量収支Ｂｄ＝Ｂ−Ｂ０を計算し（Ｓ２４４）、処理を平準化目標値ｘの決定処理に進める。
【００９０】
目標決定部２３は、蓄電残量最大値Ｂｍａｘ＞蓄電残量使用上限Ｂｕ、かつ、蓄電残量最小値Ｂｍｉｎ＞蓄電残量使用下限Ｂｌ、かつ、蓄電収支Ｂｄ＞０であるという条件に合致するか否かを判別する（Ｓ２４５）。比較した各値が条件に合致する場合には（Ｓ２４５：Ｙｅｓ）、波高率ＣＦ≧稼動判定閾値Ｓｃｆであるか否か判別する（Ｓ２４６）。判別結果が条件に合う場合には（Ｓ２４６：Ｙｅｓ）、平準化目標値ｘ＝ｘ−ｄｘに更新し（Ｓ２４７）、処理は、図２５のＳ２０７に戻る。比較した各値が条件に合致しない場合には、処理はそのままＳ２０７に戻る。Ｓ２４５において、比較した各値が条件に合致しないと判別された場合には（Ｓ２４５：Ｎｏ）、処理はＳ２４８に進む。
【００９１】
目標決定部２３は、蓄電残量最大値Ｂｍａｘ＜蓄電残量使用上限Ｂｕ、または、蓄電残量最小値Ｂｍｉｎ＜蓄電残量使用下限Ｂｌ、または、蓄電収支Ｂｄ＜０であるという条件に合致するか否かを判別する（Ｓ２４８）。比較した各値が条件に合致する場合には（Ｓ２４８：Ｙｅｓ）、目標決定部２３は、放電フラグＦｄｃ＝１であるか否か判別する（Ｓ２４９）。判別結果が条件に合う場合には（Ｓ２４９：Ｙｅｓ）、平準化目標値ｘ＝ｘ＋ｄｘに更新し（Ｓ２５０）、図２５のＳ２０７に戻り、条件が合わない場合にはそのままＳ２０７に戻る。Ｓ２４８で比較した各値が条件に合致しない場合には（Ｓ２４８：Ｎｏ）、そのまま図２５のＳ２０７に戻る。
【００９２】
なお、上記の処理において目標決定部２３は、蓄電残量最大値Ｂｍａｘ、蓄電残量最小値Ｂｍｉｎ、蓄電初期値Ｂ０、放電フラグＦｄｃ、ピーク累積受電電力量Ｅｐｋ、平均累積受電電力量Ｅａｖ等を記憶部２４に格納、または記憶部２４から読み出すことにより判別処理などを行っている。
【００９３】
以上説明したように、第２の実施の形態による電力平準化システム５０の電力平準化制御においては、特定条件下における平準化目標値ｘの増加判定条件および減少判定条件を追加した。すなわち、平準化周期Ｔ０において放電が行なわれない場合、平準化目標値ｘの増加を行わないという増加判定条件、および平準化周期Ｔ０において変動負荷１３において波高率が閾値以下の場合には平準化目標値ｘを減少させないという減少防止条件を追加した。
【００９４】
さらに、平準化システム５０において、矢印２９のように、付加停止を防ぐための強制充電オン判定のため、スイッチ制御部２５において蓄電残量Ｂｒの計測値を検出するようにしてもよい。スイッチ制御部２５において、蓄電残量Ｂｒが一定値以下になったことを検出すると、スイッチ５を強制的にオンすることにより、負荷の停止を防止することができる。
【００９５】
以上のように、第２の実施の形態による電力平準化システム５０によれば、第１の実施の形態による電力平準化システム１が奏する効果に加え、以下の付加的な効果を奏する。すなわち、平準化周期Ｔ０において放電が一回も起きていない場合に、蓄電残量Ｂｒのみの判別により次の平準化周期Ｔ０における平準化目標値ｘが増加されて、平準化制御が動作しない確率を低下することができる。また、変動負荷１３が稼動していない平準化周期Ｔ０において、蓄電残量Ｂｒのみの判別により平準化目標値ｘが減少させられ、次の平準化周期Ｔ０において変動負荷１３が稼動した際に蓄電残量Ｂｒが不足して平準化制御が中止される確率を低下することができる。以上により、特定条件下における電力平準化性能の低下を防止することが可能である。
【００９６】
ここで、以上説明した第１の実施の形態、その変形例１、変形例２、および第２の実施の形態による平準化制御をコンピュータに行わせるために共通に適用されるコンピュータの例について説明する。図２８は、標準的なコンピュータのハードウエア構成の一例を示すブロック図である。図２８に示すように、コンピュータ３００は、Ｃｅｎｔｒａｌ  Ｐｒｏｃｅｓｓｉｎｇ  Ｕｎｉｔ（ＣＰＵ）３０２、メモリ３０４、入力装置３０６、出力装置３０８、外部記憶装置３１２、媒体駆動装置３１４、ネットワーク接続装置３１８等がバス３１０を介して接続されている。
【００９７】
ＣＰＵ３０２は、コンピュータ３００全体の動作を制御する演算処理装置である。メモリ３０４は、コンピュータ３００の動作を制御するプログラムを予め記憶したり、プログラムを実行する際に必要に応じて作業領域として使用したりするための記憶部である。メモリ３０４は、例えばＲａｎｄｏｍ  Ａｃｃｅｓｓ  Ｍｅｍｏｒｙ（ＲＡＭ）、Ｒｅａｄ
Ｏｎｌｙ  Ｍｅｍｏｒｙ（ＲＯＭ）等である。入力装置３０６は、コンピュータの使用者により操作されると、その操作内容に対応付けられている使用者からの各種情報の入力を取得し、取得した入力情報をＣＰＵ３０２に送付する装置であり、例えばキーボード装置、マウス装置などである。出力装置３０８は、コンピュータ３００による処理結果を出力する装置であり、表示装置などが含まれる。例えば表示装置は、ＣＰＵ３０２により送付される表示データに応じてテキストや画像を表示する。
【００９８】
外部記憶装置３１２は、例えば、ハードディスクなどの記憶装置であり、ＣＰＵ３０２により実行される各種制御プログラムや、取得したデータ等を記憶しておく装置である。媒体駆動装置３１４は、可搬記録媒体３１６に書き込みおよび読み出しを行うための装置である。ＣＰＵ３０２は、可搬型記録媒体３１６に記録されている所定の制御プログラムを、記録媒体駆動装置３１４を介して読み出して実行することによって、各種の制御処理を行うようにすることもできる。可搬記録媒体３１６は、例えばＣｏｎｐａｃｔ  Ｄｉｓｃ（ＣＤ）−ＲＯＭ、Ｄｉｇｉｔａｌ  Ｖｅｒｓａｔｉｌｅ  Ｄｉｓｃ（ＤＶＤ）、Ｕｎｉｖｅｒｓａｌ  Ｓｅｒｉａｌ  Ｂｕｓ（ＵＳＢ）メモリ等である。ネットワーク接続装置３１８は、有線または無線により外部との間で行われる各種データの授受の管理を行うインタフェース装置である。バス３１０は、上記各装置等を互いに接続し、データのやり取りを行う通信経路である。
【００９９】
上記第１の実施の形態、その変形例１、変形例２、および第２の実施の形態による平準化制御をコンピュータ３００に実行させるプログラムは、例えば外部記憶装置３１２に記憶される。ＣＰＵ３０２は、外部記憶装置３１２からプログラムを読み出し、電力平準化制御の動作を行う。このとき、まず、平準化制御の処理をＣＰＵ３０２に行わせるための制御プログラムを作成して外部記憶装置３１２に記憶させておく。そして、入力装置３０６から所定の指示をＣＰＵ３０２に与えて、この制御プログラムを外部記憶装置３１２から読み出させて実行させるようにする。また、このプログラムは、可搬記録媒体３１６に記憶するようにしてもよい。
【０１００】
上記実施の形態において、目標決定部２３による例えばＳ７３の処理は、本発明の受電電力取得部としての動作の一例である。同様に、Ｓ６８の処理は、蓄電残量取得部、Ｓ１００の処理は、目標決定部、Ｓ２３０、２４１の処理は、算出部としての動作の一例である。記憶部２４は、蓄電残量最大値記憶部、蓄電残量最小値記憶部、蓄電初期値記憶部、放電フラグ記憶部、ピーク累積受電電力量記憶部、平均累積受電電力量記憶部の一例である。デマンド時限Ｔ１は、本発明の単位時間の一例である。
【０１０１】
なお、本発明は、以上に述べた実施の形態に限定されるものではなく、本発明の要旨を逸脱しない範囲内で種々の構成または実施形態を採ることができる。例えば、電力平準化システム１、５０において、蓄電装置７、平準化制御部２０およびスイッチ５はそれぞれ独立した構成としたが、例えば、平準化制御部２０または制御部２１、およびスイッチ５を備えた蓄電装置等、これらを任意に組み合わせた構成としてもよい。
【０１０２】
第２の実施の形態において説明した平準化目標値ｘの増加判定および減少判定は、第１の実施の形態およびその変形例１、変形例２のいずれとも組み合わせて用いることができる。また、例えば変形例１の増加判定と、変形例２の減少判定とを組み合わせて用いるなど、可能な組み合わせは全て適用することができる。
また、電力平準化システム１において、電力平準化制御は単位時間当りの受電電力量を平準化するシステムを例示したが、受電電力を平準化するシステムであっても平準化目標値決定制御は同様に適用可能である。
【符号の説明】
【０１０３】
１      電力平準化システム
３      電源
５      スイッチ
７      蓄電装置
９      受電電力計測部
１１      蓄電機
１２      蓄電残量計測部
１３      変動負荷
２０      平準化制御部
２２      目標決定部
２４      記憶部
２６      スイッチ制御部
【図１】
2012127595.tif 000003
【図２】
2012127595.tif 000004
【図３】
2012127595.tif 000005
【図４】
2012127595.tif 000006
【図５】
2012127595.tif 000007
【図６】
2012127595.tif 000008
【図７】
2012127595.tif 000009
【図８】
2012127595.tif 000010
【図９】
2012127595.tif 000011
【図１０】
2012127595.tif 000012
【図１１】
2012127595.tif 000013
【図１２】
2012127595.tif 000014
【図１３】
2012127595.tif 000015
【図１４】
2012127595.tif 000016
【図１５】
2012127595.tif 000017
【図１６】
2012127595.tif 000018
【図１７】
2012127595.tif 000019
【図１８】
2012127595.tif 000020
【図１９】
2012127595.tif 000021
【図２０】
2012127595.tif 000022
【図２１】
2012127595.tif 000023
【図２２】
2012127595.tif 000024
【図２３】
2012127595.tif 000025
【図２４】
2012127595.tif 000026
【図２５】
2012127595.tif 000027
【図２６】
2012127595.tif 000028
【図２７】
2012127595.tif 000029
【図２８】
2012127595.tif 000030
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
電源が、蓄電装置および負荷と接続されたシステムにおいて、前記電源から供給する電力を平準化する電力平準化制御装置であって、
前記蓄電装置の蓄電残量を監視時間毎に取得する蓄電残量取得部と、
前記蓄電残量取得部が取得した前記蓄電残量を記憶する蓄電記憶部と、
前記負荷の電力需要の高い期間と低い期間とが交互に発生すると予測される周期の終了時に、前記蓄電記憶部が記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する目標決定部と、
前記目標決定部により決定された次の前記周期で用いる電力平準化のための平準化目標値を基に、前記電源及び前記蓄電装置から前記負荷へ供給する電力を制御する制御部と
を有することを特徴とする電力平準化制御装置。
【請求項２】
前記目標決定部は、
前記周期内に記憶された前記蓄電残量の最大値、最小値、最後の値、または最初の値と最後の値の差分のうち少なくとも一つに基づき、次の周期で用いる平準化目標値として、現在の前記平準化目標値に対し、増加、減少または維持のいずれを行わせた値を設定するかを決定することを特徴とする請求項１に記載の電力平準化制御方法。
【請求項３】
前記目標決定部は、
前記周期において、前記最大値が予め決められた第１の閾値を下回る、前記最小値が予め決められた第２の閾値を下回る、前記最後の値が予め決められた第３の閾値を下回る、または前記最初の値と最後の値の差分が予め決められた第４の閾値を下回る、のいずれか少なくとも一つを満たす場合に、次の周期で用いる平準化目標値を現在の前記平準化目標値に対し増加させることを特徴とする請求項２に記載の電力平準化制御装置。
【請求項４】
前記目標決定部は、
前記周期において、前記最大値が前記第１の閾値を超える、前記最小値が前記第２の閾値を超える、前記最後の値が前記第３の閾値を超える、または前記最初の値と最後の値との差分が前記第４の閾値を超える、のいずれか少なくとも一つを満たす場合に、次の周期で用いる平準化目標値を現在の前記平準化目標値に対し減少させることを特徴とする請求項２に記載の電力平準化制御装置。
【請求項５】
前記目標決定部は、
前記周期において、前記最大値が前記第１の閾値を下回り、または前記最小値が前記第２の閾値を下回り、または前記最初の値と最後の値との差分が前記第４の閾値を下回る場合に、次の周期で用いる平準化目標値を現在の前記平準化目標値に対し減少させることを特徴とする請求項２に記載の電力平準化制御装置。
【請求項６】
前記目標決定部は、
前記周期において、前記最大値が前記第１の閾値を超え、かつ前記最小値が前記第２の閾値を超え、かつ前記最初の値と最後の値との差分が正の値となった場合に、次の周期で用いる平準化目標値を現在の前記平準化目標値に対し減少させることを特徴とする請求項２に記載の電力平準化制御装置。
【請求項７】
前記目標決定部は、
前記周期において、前記最後の値が前記第３の閾値を下回り、かつ前記最初の値と最後の値との差分が前記第４の閾値を下回る場合、または、前記最小値が予め決められた第２の閾値を下回る場合に、次の周期で用いる平準化目標値を現在の前記平準化目標値に対し増加させることを特徴とする請求項２に記載の電力平準化制御装置。
【請求項８】
前記目標決定部は、
前記周期において、前記最大値が前記第１の閾値を超え、かつ前記最小値が前記第２の閾値を超え、かつ前記最初の値と最後の値との差分が正の値となるか前記最後の値が前記第３の閾値を超えた場合に、次の周期で用いる平準化目標値を現在の前記平準化目標値に対し減少させることを特徴とする請求項２に記載の電力平準化制御装置。
【請求項９】
前記蓄電装置が放電を行うと放電実績として記憶する放電記憶部、をさらに備え、
前記目標決定部は、
前記周期において、前記最後の値が前記第３の閾値を下回り、かつ前記最初の値と最後の値との差分が前記第４の閾値を下回る場合、または、前記最小値が前記第２の閾値を下回る場合であって、
前記放電記憶部が記憶した放電実績が放電が発生したことを示す場合に、
次の周期で用いる平準化目標値を現在の前記平準化目標値に対し増加させることを特徴とする請求項２に記載の電力平準化制御装置。
【請求項１０】
前記システムにおいて、前記電源が、切換部を介して蓄電装置および負荷と接続され、
更に、前記電源からの監視時間毎の受電電力量を予め決められた単位時間累積した累積電力量を取得する受電電力取得部と、前記累積電力量が前記平準化目標値を上回ると、前記電源と前記蓄電装置及び前記負荷との接続を切断し、前記単位時間が経過すると、前記電源に前記蓄電装置と前記負荷とを接続させるように前記切換部を制御する切換制御部とを備えることを特徴とする請求項２に記載の電力平準化制御装置。
【請求項１１】
前記電源からの受電電力、または前記電源からの受電電力を監視時間毎に予め決められた単位時間まで累積した累積受電電力量を取得する受電電力取得部と、
前記受電電力取得部により取得された前記電源からの受電電力、または前記単位時間累積された累積電力量を記憶する受電電力記憶部と、
前記受電電力記憶部が記憶した前記累積受電電力量、または前記受電電力から、予め決められた周期における受電電力量又は受電電力の最大値と平均値との比を算出する比率算出部と、
をさらに有し、
前記目標決定部は、
前記周期において、前記最大値が前記第１の閾値を超え、かつ前記最小値が前記第２の閾値を超え、かつ前記最初の値と最後の値との差分が正の値となるか前記最後の値が前記第３の閾値を超えた場合であって、
さらに、前記比が予め決められた第５の閾値を超える場合に、
次の周期で用いる平準化目標値を現在の前記平準化目標値に対し減少させることを特徴とする請求項２に記載の電力平準化制御装置。
【請求項１２】
前記負荷の負荷電力、または前記負荷電力を監視時間毎に予め決められた単位時間まで累積した累積負荷電力を取得する負荷電力取得部と、
前記負荷電力取得部により取得された前記単位時間累積された累積負荷電力量、または前記負荷電力を記憶する負荷電力記憶部と、
前記負荷電力記憶部が記憶した前記累積負荷電力量または前記負荷電力から、予め決められた周期における負荷電力量又は負荷電力の最大値と平均値との比を算出する比率算出部と、
をさらに有し、
前記目標決定部は、
前記周期において、前記最大値が前記第１の閾値を超え、かつ前記最小値が前記第２の閾値を超え、かつ前記最初の値と最後の値との差分が正の値となるか前記最後の値が前記第３の閾値を超えた場合であって、
さらに、前記比が予め決められた第５の閾値を超える場合に、
次の周期で用いる平準化目標値を現在の前記平準化目標値に対し減少させることを特徴とする請求項２に記載の電力平準化制御装置。
【請求項１３】
前記蓄電装置が放電を行うと放電実績として記憶する放電記憶部、
をさらに有し、
前記目標決定部は、
前記周期の終了時に、前記放電記憶部が記憶した前記放電実績に基づき、次の前記周期で用いる前記平準化目標値として、現在の前記平準化目標値に対し増加、減少、または維持のいずれを行わせた値を設定するかを決定することを特徴とする請求項１に記載の電力平準化制御装置。
【請求項１４】
前記電源からの受電電力、または前記電源からの受電電力を監視時間毎に予め決められた単位時間まで累積した累積受電電力量を取得する受電電力取得部と、
前記受電電力取得部により取得された前記受電電力または前記単位時間累積された累積受電電力を記憶する電力量記憶部と、
前記電力量記憶部が記憶した前記受電電力または前記累積受電電力量から、前記周期における最大値と平均値を算出する算出部と、
をさらに有し、
前記目標決定部は、
前記周期の終了時に、前記最大値と前記平均値に基づき、次の周期で用いる平準化目標値を現在の値に対し、増加または減少または維持させた値を設定するか決定することを特徴とする請求項２に記載の電力平準化制御装置。
【請求項１５】
電源と切換可能に接続されるとともに負荷と接続され、前記電源との接続状態を制御することにより充電および放電を行い、前記電源が供給する電力を平準化する蓄電装置であって、
前記電源との間に設けられ、前記接続状態を切り換えるスイッチと、
前記スイッチにより前記電源と接続されることにより充電され、前記電源との接続が切断されると放電することにより前記負荷に電力を供給する蓄電機と、
前記請求項１から請求項１４のいずれか一項に記載の平準化制御装置と、
を有することを特徴とする電力平準化蓄電装置。
【請求項１６】
電源が、蓄電装置および負荷と接続されたシステムにおいて、前記電源から供給する電力を平準化する電力平準化制御方法であって、
前記蓄電装置の蓄電残量を監視時間毎に取得する蓄電取得工程と、
前記蓄電取得工程において取得した前記蓄電残量を記憶する蓄電記憶工程と、
前記負荷の電力需要の高い期間と低い期間とが交互に発生すると予測される周期の終了時に、前記蓄電記憶工程において記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する目標決定工程と、
前記目標決定工程で決定された次の前記周期で用いる電力平準化のための平準化目標値を基に、前記電源及び前記蓄電装置から前記負荷へ供給する電力を制御する制御工程と
を有することを特徴とする電力平準化制御方法。
【請求項１７】
電源が、蓄電装置および負荷と接続されたシステムにおいて、前記電源から供給する電力を平準化する電力平準化制御をコンピュータに行わせるプログラムであって、
前記電源からの受電電力を監視時間毎に予め決められた単位時間まで累積して取得し、
前記蓄電装置の蓄電残量を監視時間毎に取得し、
前記蓄電取得工程において取得した前記蓄電残量を記憶し、
前記負荷の電力需要の高い期間と低い期間とが交互に発生すると予測される周期の終了時に、記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定しと、
決定された次の前記周期で用いる電力平準化のための平準化目標値を基に、前記電源及び前記蓄電装置から前記負荷へ供給する電力を制御する処理をコンピュータに行わせることを特徴とする電力平準化プログラム。
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
電源が、蓄電装置および負荷と接続されたシステムにおいて、前記電源から供給する電力を平準化する電力平準化制御装置であって、
前記蓄電装置の蓄電残量を監視時間毎に取得する蓄電残量取得部と、
前記蓄電残量取得部が取得した前記蓄電残量を記憶する蓄電記憶部と、
前記負荷の電力需要の高い期間と低い期間とが交互に発生すると予測される周期の終了時に、前記蓄電記憶部が記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する目標決定部と、
前記目標決定部により決定された次の前記周期で用いる電力平準化のための平準化目標値を基に、前記電源及び前記蓄電装置から前記負荷へ供給する電力を制御する制御部と
を有することを特徴とする電力平準化制御装置。
【請求項２】
前記目標決定部は、
前記周期内に記憶された前記蓄電残量の最大値、最小値、最後の値、または最初の値と最後の値の差分のうち少なくとも一つに基づき、次の周期で用いる平準化目標値として、現在の前記平準化目標値に対し、増加、減少または維持のいずれを行わせた値を設定するかを決定することを特徴とする請求項１に記載の電力平準化制御方法。
【請求項３】
前記目標決定部は、
前記周期において、前記最大値が予め決められた第１の閾値を下回る、前記最小値が予め決められた第２の閾値を下回る、前記最後の値が予め決められた第３の閾値を下回る、または前記最初の値と最後の値の差分が予め決められた第４の閾値を下回る、のいずれか少なくとも一つを満たす場合に、次の周期で用いる平準化目標値を現在の前記平準化目標値に対し増加させることを特徴とする請求項２に記載の電力平準化制御装置。
【請求項４】
前記目標決定部は、
前記周期において、前記最大値が前記第１の閾値を超える、前記最小値が前記第２の閾値を超える、前記最後の値が前記第３の閾値を超える、または前記最初の値と最後の値との差分が前記第４の閾値を超える、のいずれか少なくとも一つを満たす場合に、次の周期で用いる平準化目標値を現在の前記平準化目標値に対し減少させることを特徴とする請求項２に記載の電力平準化制御装置。
【請求項５】
前記目標決定部は、
前記周期において、前記最大値が前記第１の閾値を下回り、または前記最小値が前記第２の閾値を下回り、または前記最初の値と最後の値との差分が前記第４の閾値を下回る場合に、次の周期で用いる平準化目標値を現在の前記平準化目標値に対し減少させることを特徴とする請求項２に記載の電力平準化制御装置。
【請求項６】
前記目標決定部は、
前記周期において、前記最大値が前記第１の閾値を超え、かつ前記最小値が前記第２の閾値を超え、かつ前記最初の値と最後の値との差分が正の値となった場合に、次の周期で用いる平準化目標値を現在の前記平準化目標値に対し減少させることを特徴とする請求項２に記載の電力平準化制御装置。
【請求項７】
前記目標決定部は、
前記周期において、前記最後の値が前記第３の閾値を下回り、かつ前記最初の値と最後の値との差分が前記第４の閾値を下回る場合、または、前記最小値が予め決められた第２の閾値を下回る場合に、次の周期で用いる平準化目標値を現在の前記平準化目標値に対し増加させることを特徴とする請求項２に記載の電力平準化制御装置。
【請求項８】
電源と切換可能に接続されるとともに負荷と接続され、前記電源との接続状態を制御することにより充電および放電を行い、前記電源が供給する電力を平準化する蓄電装置であって、
前記電源との間に設けられ、前記接続状態を切り換えるスイッチと、
前記スイッチにより前記電源と接続されることにより充電され、前記電源との接続が切断されると放電することにより前記負荷に電力を供給する蓄電機と、
前記請求項１から請求項７のいずれか一項に記載の平準化制御装置と、
を有することを特徴とする電力平準化蓄電装置。
【請求項９】
電源が、蓄電装置および負荷と接続されたシステムにおいて、前記電源から供給する電力を平準化する電力平準化制御方法であって、
前記蓄電装置の蓄電残量を監視時間毎に取得する蓄電取得工程と、
前記蓄電取得工程において取得した前記蓄電残量を記憶する蓄電記憶工程と、
前記負荷の電力需要の高い期間と低い期間とが交互に発生すると予測される周期の終了時に、前記蓄電記憶工程において記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定する目標決定工程と、
前記目標決定工程で決定された次の前記周期で用いる電力平準化のための平準化目標値を基に、前記電源及び前記蓄電装置から前記負荷へ供給する電力を制御する制御工程と
を有することを特徴とする電力平準化制御方法。
【請求項１０】
電源が、蓄電装置および負荷と接続されたシステムにおいて、前記電源から供給する電力を平準化する電力平準化制御をコンピュータに行わせるプログラムであって、
前記電源からの受電電力を監視時間毎に予め決められた単位時間まで累積して取得し、
前記蓄電装置の蓄電残量を監視時間毎に取得し、
前記蓄電取得工程において取得した前記蓄電残量を記憶し、
前記負荷の電力需要の高い期間と低い期間とが交互に発生すると予測される周期の終了時に、記憶した前記蓄電残量の内の、前記周期の前記蓄電残量の遷移を代表する値に基づき、次の前記周期で用いる電力平準化のための平準化目標値として、現在の前記平準化目標値に対し増加、減少、または維持のいずれを行わせた値を設定するかを決定しと、
決定された次の前記周期で用いる電力平準化のための平準化目標値を基に、前記電源及び前記蓄電装置から前記負荷へ供給する電力を制御する処理をコンピュータに行わせることを特徴とする電力平準化プログラム。
【国際調査報告】
2012127595.tif 000031
2012127595.tif 000032
2012127595.tif 000033
2012127595.tif 000034